(57)【要約】【課題】停止ボタンの押し順が入賞の条件として要求されるゲームまたは当選賞群に含まれる役の抽選を行うゲームを提供する遊技装置において、さらに多様なゲーム性が提供可能な遊技装置あるいは遊技者にとって操作の簡便な遊技装置を提供する。【解決手段】正当な押下順序により停止ボタンが操作された場合にベル賞に入賞することができるゲームを提供する遊技装置の内部抽選の抽選処理において、何れかの押し順のベル賞に当選した場合（ステップ２２０）、押下順序固定期間中かを判断し（ステップ２２１）、押下順序固定期間中である場合には押下固定番号に対応する賞群を当選とする（ステップ２２２）。押下順序固定期間中でない場合は第２抽選を行い、第２抽選で当選した押下順序別のベル賞に当選とする（ステップ２２３〜２２５）。【選択図】  図７
2004166902.tif 000002
【特許請求の範囲】
【請求項１】
複数の図柄を可変表示する複数のリールと、
前記可変表示を停止する複数の停止ボタンと、
第１当選賞群またはハズレを抽選する第１抽選手段と、
前記第１当選賞群から第２当選賞群または当選役を抽選する第２抽選手段と、
前記第２当選賞群または前記当選役に入賞可能な停止データまたは停止プログラムを含む停止制御データ群または停止制御プログラム群を用いて前記リールの停止制御を行うリール停止制御手段と、
を含む遊技装置であって、
第１条件を満足するかを判断する第１判断手段と、
第２条件を満足するかを判断する第２判断手段と、
ゲームの状態を、前記第１判断手段の判断が真である場合に第１状態から第２状態に変更し、前記第２判断手段の判断が真である場合に第２状態から第１状態に、変更するゲーム状態記録手段と、を有し、
前記ゲーム状態記録手段に記録されているゲームの状態が前記第２状態である場合に、前記第２抽選手段の抽選を行わず、前記第２当選賞群または前記当選役を所定の特定賞群または特定役に固定する遊技装置。
【請求項２】
前記第１当選賞群が所定の賞群である場合に、前記第２抽選手段の抽選を行い、前記リール停止制御手段による前記リールの停止制御を行う請求項１記載の遊技装置。
【請求項３】
複数の図柄を可変表示する複数のリールと、
前記可変表示を停止する複数の停止ボタンと、
当選賞群またはハズレを抽選する抽選手段と、
前記当選賞群に入賞可能な停止データまたは停止プログラムを含む停止制御データ群または停止制御プログラム群を用いて前記リールの制御を行うリール制御手段と、を含み、
前記抽選手段には、乱数発生手段と、賞群ごとの当選確率に相当する数値幅が割り当てられている賞群抽選テーブルと、前記乱数発生手段で生成した乱数値が前記数値幅に含まれるかを照合する照合手段と、前記照合手段の照合操作を実行する毎にそのカウンタ値が増加または減少するカウンタ手段と、を含み、
前記照合操作は所定の順番で前記賞群ごとに実行され、前記乱数値が前記数値幅に含まれると照合された段階で前記カウンタ手段を停止し、前記カウンタ値に対応する賞群を当選賞群とする遊技装置であって、
第１条件を満足するかを判断する第１判断手段と、
第２条件を満足するかを判断する第２判断手段と、
ゲームの状態を、前記第１判断手段の判断が真である場合に第１状態から第２状態に、前記第２判断手段の判断が真である場合に第２状態から第１状態に、変更するゲーム状態記録手段と、
前記カウンタ値が所定の範囲内であるかを判断する第３判断手段と、を有し、前記ゲーム状態記録手段に記録されているゲームの状態が前記第２状態であり、かつ、前記第３判断手段の判断が真である場合に、前記当選賞群を所定の特定賞群とする遊技装置。
【請求項４】
前記第１条件は、任意の第１賞群に入賞したこと、任意の第２賞群に当選したにも関わらず前記第２賞群に入賞しなかったこと、あらかじめ定められた所定量の遊技価値を得られなかったこと、任意の第３賞群もしくはハズレが抽選されたこと、または、これら条件とその他の条件がともに充足されたこととする請求項１〜３の何れか一項に記載の遊技装置。
【請求項５】
前記第２条件は、任意の第１賞群に入賞したこと、任意の第２賞群に当選したにも関わらず前記第２賞群に入賞しなかったこと、前記第１条件を満足したゲーム以降のゲーム数を計数するゲーム数計数手段が所定の値に達したこと、前記第１条件を満足したゲーム以降のゲームにおいて前記特定賞群に入賞した回数を計数する入賞数計数手段が所定の値に達したこと、または、前記第１条件を満足したゲーム以降のゲームにおいてあらかじめ定められた所定量の遊技価値を得たこととする請求項１〜４の何れか一項に記載の遊技装置。
【請求項６】
前記ゲーム状態記録手段に記録されているゲームの状態が前記第２状態である場合に、その旨、または、以前のゲームにおける前記停止ボタンの操作順に関する情報の報知を行う請求項１〜５の何れか一項に記載の遊技装置。
【発明の詳細な説明】
【０００１】
【発明の属する技術分野】
本発明はスロットマシン等の遊技装置に関する。特に内部抽選の結果当選した当選賞群への入賞の条件として停止ボタンの押順の正当性を要求するゲームや当選賞群に含まれる複数の役の何れかに入賞するゲームにおいて、新たなゲーム性を提供できる技術に関する。
【０００２】
【従来の技術】
いわゆるパチスロと称される遊技装置（この遊技装置はスロットマシン、回胴式遊技装置あるいはリール式遊技装置と称される場合もある。以下本明細書ではスロットマシンと称することとする。）では、開始レバーの操作を契機に内部抽選が行われ、この内部抽選によって当選した当選賞群に入賞することが可能になる。そして停止ボタンの押下を契機に対応するリールの停止制御が行われ、全てのリールが停止した時点で入賞ライン上に当選賞群に含まれる役を構成する図柄が揃っているかを判定する。役を構成する図柄が揃っていれば入賞と判定され、相当する遊技価値（メダルの払出、特別なゲームあるいはモードへの移行あるいは移行抽選等の特典）が付与される。つまり、内部抽選に当選しただけでは入賞を果たせず、停止ボタンの押下タイミングによっては当選したにもかかわらず入賞できない場合もある。
【０００３】
ここで、リールは停止ボタンが押下された時点の図柄で直ちに停止するとは限らず、最大４個の範囲内で図柄の引き込みあるいは蹴り飛ばしが行われる。つまり、リール制御として、停止ボタンを押下した時点における図柄番号を取得し、当選賞群の役を構成する図柄が４コマ内にある場合はその図柄を引き込む制御が行われる。逆にある役を構成する図柄が揃うようなタイミングで停止ボタンが押下されたとしてもその役を含む賞群に当選していない場合はその図柄に揃わないような蹴り飛ばしの制御が行われる。このようなリール制御の結果、２１個存在する図柄位置の何れの４コマ内にもある図柄が存在する場合、その図柄が構成する役はどのようなタイミングで停止ボタンを押したとしても入賞の必要条件を満たすこととなる（完全引き込み）。一方、２１個存在する図柄位置の何れかの４コマ内に存在しない図柄が構成する役は、その図柄が引き込まれるタイミングを見計らって停止ボタンを押下しなければ入賞を果たすことはできない。このようなタイミングを見計らった停止ボタンの押下はいわゆる目押しと称され、遊技者の技量が要求されるゲーム要素となっている。
【０００４】
内部抽選に当選した賞群（役）に入賞する一般的な手順は以上の通りである。しかし、さらに入賞の条件として停止ボタンを押下する順番（押し順）が正当であることを条件とする場合がある。つまり、３つある停止ボタン（左ボタン、中ボタンおよび右ボタン）を押す順序は、「左中右（順押し）」、「左右中（挟み押し）」、「中左右（中押し）」、「中右左（逆中押し）」、「右中左（逆押し）」および「右左中（逆挟み押し）」の６通りが存在する。この６通りの何れかの押し順をゲーム毎あるいは押し順条件を入賞の要件とする賞群（以下押し順要件賞群という）に当選する毎に抽選を行い、この抽選によって選択された押し順で停止ボタンが押されたことを入賞の必要条件とするものである。
【０００５】
このような押し順要件を付加したゲームは報知演出（いわゆる押し順ナビゲーション）と組み合わせて実行されるのが一般的である。すなわち、押し順報知演出が行われない場合遊技者は情報なしにランダムに押し順を選択することとなるので、入賞の確率は単純に１／６低下する。一方、押し順の報知演出が行われる場合は報知演出されない場合に比較して６倍に増加する。仮にその賞群に関して完全引き込みのリール制御が行われた場合には、報知に従って停止ボタンの押し順を選択するだけで容易に入賞を果たすことが可能になる。押し順要件賞群への当選確率を予め高く設定しておけば、報知演出のない通常のゲーム状態において適度な入賞確率を実現し、一方報知演出がある場合には遊技者への大きな特典を付与することとなり、高い遊技性を達成することが可能となる。特に、完全引き込みのリール制御を行う場合、入賞に必要な目押しを行う必要がなく初心者にも選択されやすいスロットマシンを提供できる。
【０００６】
一方、ある賞群（仮に賞群Ａとする）に複数の役（仮に役ａ１、役ａ２、役ａ３とする）を含むようゲームを設計する場合がある。このような賞群設計を行うことにより、以下に例示するような多様なゲーム性を提供できる。すなわち、たとえば、各役に入賞した場合の配当に軽重を付け、特殊なゲーム状態では通常のゲーム状態に比較して高い配当の役が選択または抽選されるようにする。あるいは、各役が選択される確率を停止ボタンの押し順によって変動させ、ある押し順では高配当な役に抽選される確率が増し、別のある押し順では高配当な役に抽選される確率は低下するものの特別なゲーム状態への移行抽選の確率が高まる等である。なお、このような賞群設計を行う場合、内部抽選で賞群Ａに当選したとしても、一度の内部抽選では未だ当選役（入賞ラインにその役を構成する図柄が揃うことにより入賞となる役）は決定されず、さらに２度目の抽選を行って役ａ１、役ａ２、役ａ３の何れかの役が選択されることになる。
【０００７】
上記のとおり、特定の賞群に内部抽選で当選しただけではその賞群（その賞群に含まれる何れかの役）に入賞する条件が出揃うわけではない。つまりさらに２度目の抽選を行い、その結果、停止ボタンの押し順や当選賞群に含まれる役の特定が行われて初めて入賞の条件が出揃うことになる。その後、正当な押し順で停止ボタンが押下され、あるいは、正当な押下タイミングで（役を構成する図柄が入賞ラインに引き込めるタイミングで）停止ボタンが押下されて入賞を果たすことができることになる。
【０００８】
【発明が解決しようとする課題】
ところで、前記した２度目の抽選の結果は、報知が行われる場合を除き遊技者はこれを知ることはできない。逆に、遊技者がその抽選結果を知り得たとするなら、遊技者には大きな利益となる。このような遊技者への利益として、特定の場合に報知ゲーム等の特典が与えられることは従来より行われている。
【０００９】
しかし、単に報知等によって２度目の抽選結果を遊技者に知らせるのみではゲーム性の多様化に限界がある。たとえば入賞の条件として正当な停止ボタンの押し順が要求される場合には、報知を受けた遊技者は報知される押し順どおりに停止ボタンの停止操作を行うのみであり、主体的なゲームへの参加意識を高めることは困難である。また、入賞条件として当選賞群内の特定役が選択（抽選）される場合も同様であり、報知を受けた遊技者は報知される図柄を狙って停止ボタンの押下操作を行うのみである。これら既存のゲームにさらに多様なゲーム性を付加するには、これら入賞条件要素（停止ボタンの押し順や当選賞群内で選択された役（役を構成する図柄の種類を含む））を探索するような楽しみが付加されることが望まれる。
【００１０】
一方、遊技者によっては、報知ゲームのような特別なゲーム状態にあるときには、複雑な操作無しに単により多くの配当があることに興味を覚える者もあろう。このような遊技者にとっては、たとえばゲーム毎に正当な停止ボタンの押し順が変更されるようなゲーム形態は好ましくなく、常に同一の押し順で停止ボタンを操作することが好ましい。たとえ正当な押し順が報知されるとしても、遊技者は常にその報知内容（正当な押し順）に注意を払う必要があり、報知どおりに停止ボタンの操作を行うことが要求される。仮に停止操作を誤った場合（報知どおりの押し順で停止ボタン操作を行わなかった場合）には配当を受けることはできず、高配当に興味を覚える遊技者にとっては、停止ボタン操作はより簡明であることが望まれる。
【００１１】
本発明の目的は、停止ボタンの押し順が入賞の条件として要求されるゲームまたは当選賞群に含まれる役の抽選を行うゲームを提供する遊技装置において、さらに多様なゲーム性が提供可能な遊技装置あるいは遊技者にとって操作の簡便な遊技装置を提供することにある。
【００１２】
【課題を解決するための手段】
本発明の構成を説明するに先立ち、本明細書で用いる用語の説明を以下に述べる。明示的に他の定義を付した場合を除き、原則として本明細書で用いる用語は以下に定義する意味に用いることとする。
【００１３】
「役」とは、図柄の組み合わせのうち遊技価値を与えるものをいう。たとえば「赤７役」、「プラム役」、「ベル役」、「リプレイ役」などがある。
【００１４】
「賞群」とは、１つ若しくは複数の役の集まり又は役となる特定図柄の組み合わせ以外の役とは異なる遊技価値を与える複数の図柄組み合わせの集まりをいう。１つの役からなる賞群の場合は、形式的に役と賞群とは一致する。賞群の名称には、たとえば「ＢＢ賞」、「ＲＢ賞」、「小役賞１（又はスイカ賞）」、「小役賞２（又はベル賞）」、「小役賞３（又はチェリー賞）」、「リプレイ賞（再遊技賞）などがある。なお、役（特定図柄組み合わせ）がないにも拘わらず、遊技価値を得ることができる図柄の組み合わせがある場合には、これも賞群に含まれる。
【００１５】
「遊技価値」とは、遊技者が得る価値をいう。賞群又は役によって定まる遊技価値には配当、高当選通常ゲームへの移行および再遊技等がある。
【００１６】
「乱数抽出」とは、数列発生器から発生する複数の数値の中から１つの数値をサンプリングするまでのことをいう。
【００１７】
「賞群抽選テーブル」とは、複数の賞群毎に定められている数値の幅（抽選区分）の集まりをいう。なお、ゲーム状態（通常ゲーム、高当選通常ゲーム、ＪＡＣゲームおよびＣＴゲームなど）で賞群抽選テーブルが異なってもよいため、数値の幅には０を含む。
【００１８】
「内部抽選」とは、乱数抽出の結果サンプリングされた数値と賞群抽選テーブルを用いて当選又はハズレを決定することをいう。
【００１９】
「当選」とは、いずれかの賞群に応じて入賞する権利が発生することをいう。「入賞する権利」とは、内部抽選の結果与えられる入賞の前提となる権利である。入賞する権利は、回転するリールを停止させ、入賞ライン上に役を構成する図柄を揃えることによって、入賞に転換する。入賞する権利は、賞群ごとに与えられる。入賞する権利には、次回ゲームに持ち越すことが可能な入賞する権利と、持ち越すことができない入賞する権利が含まれる。
【００２０】
「ハズレ」とは、入賞する権利が発生しないことをいう。
【００２１】
「当選持越し状態」とは、前回以前のゲームにおいて持ち越した入賞する権利が存在する状態をいう。たとえば当選フラグによって抽選の結果を制御する場合、入賞する権利の持ち越しは、当選フラグをクリアしないことにより実現される。この場合、当選持越し状態とは、次回ゲームの内部抽選に関わらず当該賞群の当選フラグが立っている（対応するビットが真）状態をいう。
【００２２】
「入賞」とは、内部抽選によって当選した後、有効な入賞ライン上に役が揃うことをいう。
【００２３】
「当選フラグ」とは、当選の結果発生した「入賞する権利」を記憶したデータをいう。
【００２４】
「当選フラグの持ち越し」とは、当選したにも拘わらず入賞しなかったゲームのフラグが次のゲームでも消去されていないことをいう。
【００２５】
「ベット操作」とは、遊技価値によって入賞ラインを有効化する操作をいう。ベット操作には、遊技価値媒体（例えばメダル）を遊技装置に供給する（たとえばメダル投入口からメダルを投入する）方法、クレジットされている遊技価値媒体を機械操作で供給する（たとえばクレジットされているメダルをベットボタンで供給する）方法および両方法を併用する方法がある。再遊技賞で始まるゲームでのベット操作は、前ゲームで有効化された入賞ラインと同じ入賞ラインが自動的に有効化されることで行われる。
【００２６】
「ゲーム」とは、ベット操作から次のベット操作が可能になるまでの期間の１回の遊技又はその遊技の繰り返しをいう。
【００２７】
「通常ゲーム」とは、内部抽選によって複数の賞群およびハズレのいずれかが抽選されるゲームをいう。
【００２８】
「高当選通常ゲーム」とは、当選確率が通常ゲームより高い通常ゲームをいう。
【００２９】
「ＪＡＣゲーム」とは、内部抽選によって１の賞群かハズレのいずれかが抽選されるゲームをいう。
【００３０】
「ＣＴゲーム」とは、停止操作のみで少なくとも１つのリールを停止して、特定の賞群の中における役の入賞の有無を決めるゲームをいう。
【００３１】
「報知ゲーム」とは、当選した特定の賞群に関連した情報を常に遊技者に報知するゲームをいう。
【００３２】
「再遊技当選高確率ゲーム」とは、ハズレをなくすあるいは少なくするかわりに再遊技（リプレイ）賞の当選確率を高くしたゲームをいう。なお本明細書において、再遊技当選高確率ゲームをリプレイゲームあるいはストックゲームと称する場合がある。また、再遊技当選高確率ゲームが行われる期間をリプレイタイムあるいはストックタイムと称する場合がある。
【００３３】
「遊技」とは、一般に許可営業の娯楽を指すが、より一般的な娯楽の意味の遊戯をも遊技に含めることとする。
【００３４】
以下、本発明の構成その他を説明する。前記課題を解決するため、本発明は以下のような構成を有する。
【００３５】
すなわち、本発明の遊技装置は、複数の図柄を可変表示する複数のリールと、前記可変表示を停止する複数の停止ボタンと、第１当選賞群またはハズレを抽選する第１抽選手段と、前記第１当選賞群から第２当選賞群または当選役を抽選する第２抽選手段と、前記第２当選賞群または前記当選役に入賞可能な停止データまたは停止プログラムを含む停止制御データ群または停止制御プログラム群を用いて前記リールの停止制御を行うリール停止制御手段と、を含む遊技装置であって、第１条件を満足するかを判断する第１判断手段と、第２条件を満足するかを判断する第２判断手段と、ゲームの状態を、前記第１判断手段の判断が真である場合に第１状態から第２状態に変更し、前記第２判断手段の判断が真である場合に第２状態から第１状態に、変更するゲーム状態記録手段と、を有し、前記ゲーム状態記録手段に記録されているゲームの状態が前記第２状態である場合に、前記第２抽選手段の抽選を行わず、前記第２当選賞群または前記当選役を所定の特定賞群または特定役に固定する遊技装置である。
【００３６】
以下ここで用いた文言の説明を行った後に本発明による作用および効果の説明を行う。「リール」は遊技装置に備える図柄の可変表示手段である。リールには、たとえばメカニカルリールとビデオリールとが含まれる。メカニカルリールは、円柱形部材の外周に複数の図柄を配置しステッピングモータ等の回転装置で回転駆動するリールであり、ビデオリールは、液晶表示装置等の画像表示装置の表示画面に表示制御装置によって単一または複数の図柄を表示するリールである。
【００３７】
「図柄」はリールに備える任意の図形あるいは画像であり、通常、単一のリールに２１個の図柄を備える。なお、単一のリールは、一つの停止ボタンの操作でその表示が停止される一組の図柄の集まりを可変表示するものとして把握できる。たとえばメカニカルリールの場合、１つの円筒形部材とそれに付随する回転装置等その他の部材で単一リールを把握できる。ビデオリールの場合、表示画面に表示される図柄のうち一つの停止ボタンによってその可変表示が停止される図柄の組み合わせを単一リールとして把握できる。よってビデオリールの場合、複数のリールが単一の表示画面に表示される場合がある。
【００３８】
「図柄の可変表示」とは、図柄が変化して表示されることをいう。メカニカルリールの場合、リールの機械的な回転によって図柄の可変表示が与えられ、ビデオリールの場合、表示画面の所定位置に所定の順番で図柄が順次表示されることによって可変表示が与えられる。「図柄の可変表示の停止」とは、可変表示されている図柄を停止ボタンの操作を契機として停止することをいう。なお、後に説明するように、停止操作の直後に図柄の可変表示の停止が行われるとは限らず、所定のリール制御を経て可変表示の停止操作が行われる。図柄の可変表示が停止された場合、遊技装置前面のリール窓またはリール画像表示装置の所定位置に図柄が停止表示されることになる。
【００３９】
「停止ボタン」は図柄の可変表示を停止させる契機を与える装置である。停止ボタンは必要な電気信号または機械的信号を与えるものであるならばその具体的な構成は特に限定されない。たとえばメカニカル接点を用いたスイッチ、フォトカプラを利用したスイッチが例示できる。
【００４０】
「第１抽選手段」は、設計で意図した当選可能賞群の集まりおよびハズレから第１当選賞群またはハズレを抽選する抽選手段である。設計で意図した当選可能賞群の集まりはゲームの状態（たとえば通常ゲーム高確率通常ゲームあるいは特典が付与されたゲーム等）によって変化し得る。たとえばあるゲーム状態ではＢＢ賞、ＲＢ賞、スイカ賞、ベル賞、チェリー賞、再遊技賞が第１抽選手段の抽選対象の賞群となり、他のゲーム状態ではスイカ賞、ベル賞、チェリー賞、再遊技賞が第１抽選手段の抽選対象の賞群となり得る。その他任意の賞群が第１抽選手段の抽選対象に追加されてもよい。「抽選手段」は内部抽選手段を含む概念であり、たとえば乱数発生器と賞群抽選テーブルを用いて抽選手段を構成することができる。抽選の具体的な手法は任意であり、情報処理組織とソフトウェアによって抽選を行っても良く、電気的な専用回路で抽選を行ってもよい。あるいは機械的な機構によって抽選を実現することも可能である。
【００４１】
「第１当選賞群」は第１抽選手段によって実行された抽選の結果当選した賞群である。第１当選賞群が第１抽選手段の抽選対象の賞群に含まれることは勿論であるが、単一の賞群には限られない。第１抽選手段によって複数の第１当選賞群が選択されてもよい。なお、第１抽選手段の抽選は、通常遊技装置に備えた開始レバーの操作を契機に実行されるがこれに限られない。ベット操作以降第２抽選手段の抽選前のタイミングであれば何時実行されてもかまわない。
【００４２】
「第２抽選手段」は、第１当選賞群から第２当選賞群または当選役を抽選する抽選手段である。第２抽選手段は第１抽選手段と同様に「抽選手段」の概念に含まれ、前記した抽選手段の具体的構成によって第２抽選手段を構成できる。
【００４３】
「第２当選賞群」は第１当選賞群に含まれる単一または複数の賞群である。たとえば第１当選賞群がベル賞群であり、このベル賞群への入賞に正当な停止ボタンの押し順が要求される場合、ベル賞群には「順押しベル賞群」、「挟み押しベル賞群」、「中押しベル賞群」、「逆中押しベル賞群」、「逆押しベル賞群」、および「逆挟み押しベル賞群」の６種類の賞群が含まれることになる（なお、停止ボタンの第１操作にのみ正当性が要求される場合には、「左ベル賞群（または順押しベル賞群および挟み押しベル賞群）、「中ベル賞群（または中押しベル賞群および逆中押しベル賞群）」および「右ベル賞群（または逆押しベル賞群および逆挟み押しベル賞群）の３種類になる」。これらベル賞群に含まれる複数の賞群から何れか１つの賞群を抽選する手段が第２抽選手段の一例であり、抽選によって当選した何れかの単一または複数の賞群（順押しベル賞（または順押しベル賞群および挟み押しベル賞群）等）が第２当選賞群である。なお、ここでは停止ボタンの押し順による複数種類の賞群を例示しているがこの例示に限られないことは勿論である。任意の複数賞群（たとえばベル賞、スイカ賞およびチェリー賞）を第１当選賞群とし、それに含まれる任意の賞群（たとえばスイカ賞）を第２当選賞群とすることも可能である。
【００４４】
「当選役」は第１当選賞群に含まれる何れかの役である。たとえば第１当選賞群がベル賞群であり、このベル賞に「赤ベル役」、「青ベル役」および「白ベル役」を含む場合、当選役はそれに含まれる何れかの役（たとえば赤ベル役）である。
【００４５】
なお、第２抽選手段の抽選は、第１抽選手段の抽選の実行以降最初のリール停止制御前であれば何時実行されてもかまわない。すなわち第１抽選手段の抽選に続けて第２抽選手段の抽選が行われても良く、最初のリール停止操作の際に実行されてもよい。また、第２抽選手段の抽選は、第１当選賞群が所定の賞群である場合に限り行われてもよい。たとえばベル賞群の入賞に押し順の正当性を要求する場合のようにベル賞群に複数の賞群を含む場合、第１抽選手段の抽選でベル賞群に当選した場合にのみさらに第２抽選の抽選手段を行うように構成することもできる。
【００４６】
「停止データ」は、リールの停止制御に用いるデータであり、ボタン識別情報（ボタン番号）および図柄識別情報（図柄番号）毎の進みこま数を記録しているテーブルデータである。「停止プログラム」はリールの停止制御に用いるプログラムまたはそのプログラムで用いるデータである。「停止制御データ群」は１つまたは複数の停止データの集まりであり、「停止制御プログラム群」は１つまたは複数の停止プログラムの集まりである。「リール停止制御手段」とは停止データまたは停止プログラムを利用してリールの停止制御を行う手段である。すなわち、リール停止制御手段は、停止ボタンからの信号を受けて必要な停止データまたは停止プログラムを特定し、この特定された停止データによって与えられる進みこま数分だけリールを回転させ停止させる機構、あるいは特定された停止プログラムに従ってリールを回転させ停止させる機構を制御する。リール停止制御手段は、たとえば情報処理組織とソフトウェアによって構成することができるが、電気的な専用回路あるいは機械的機構によって実現することも可能である。以下停止データを用いる場合のリール停止制御を説明する。
【００４７】
停止データを用いるリールの停止制御は、停止ボタンの押下の際に取得されるボタン番号および図柄番号に基づいて行われ、停止データが特定されている場合には、取得したボタン番号（たとえば左ボタン）および図柄番号（たとえば図柄１）のテーブル要素（特定されている停止データのテーブル要素）に記録されている進みこま数分だけリールを回転した後停止することによって行われる。ボタン番号は停止操作（停止ボタンの押下）がなされたボタンを識別する番号（情報）であり、図柄番号は停止操作が行われた時に基準位置にある図柄の識別番号（識別情報）である。停止テーブルにどのような数値（進みこま数）を記録するかは設計事項であるから、逆に言えば設計者は停止データに記録する数値（進みこま数）とどのような停止データが停止制御の際に選択され得るかを設計することによって停止操作後の出目（確定図柄）を設計することが可能となる。すなわち、予め多数の停止データ（全停止制御データ群）を用意し、この停止制御データ群から当選賞群に応じて適切な停止データの集まり（当選賞群用停止制御データ群）を選択し、さらに最初の停止ボタン操作（第１停止操作）の際に停止ボタン操作順序（最初の停止ボタン操作では６通り存在する停止操作順序を確定できないため複数の停止操作順序を想定する必要がある）および入賞ライン（入賞ラインとして上ライン、中ライン、下ライン、右下がりライン、右上がりラインの５ラインが存在する場合、いずれのラインで入賞させるかを決定する必要がある）に応じた適切な停止データ（または停止データ群）を選択する。つまり、全停止データ群として各賞群用およびハズレ用の停止データ群を用意し、各賞群用の停止データ群として、各押し順の停止データグループを用意し、各停止データグループには、上ライン用停止データ、中ライン用停止データ、下ライン用停止データ、右下がりライン用停止データ、右上がりライン用停止データおよびハズレ用停止データを含む停止データ群を用意する。たとえば、内部抽選でベル賞群に当選した場合、ベル図柄が入賞ライン上に揃う可能性のある停止データを含む停止データ群が選択される。ここでは、押し順および入賞ラインは未だ確定していないので各押し順グループの停止データグループを含み、各押し順グループの停止データには各入賞ラインにベル図柄が揃う可能性のある停止データを含むことになる。なお内部抽選でハズレを選択した場合にはこの段階でハズレ用の停止データ群が選択される。次いで第１停止操作が行われ、この第１停止操作で取得されたボタン番号と図柄番号とから前記したリール制御が行われ所定の進みコマ数で第１停止操作のリールが停止する。この際、リール制御の利用対象となる停止データは単一でなく、また、以降に押下される停止ボタンによる図柄の配置と矛盾しない図柄を停止させる必要がある。たとえば第１停止操作が左ボタンである場合、押し順としては順押しおよび挟み押しが候補となり、未だ押し順は確定されない。このような場合、順押しグループと挟み押しグループの左ボタンのデータを共通化することにより以降の処理に矛盾を生じる可能性を排除できる。またベル図柄が左上、左中、左下のいずれで停止させることも可能である場合（４コマの引き込みが許容されるのでこのような場合が生じうる）すべての入賞ライン用停止データが対象となる。仮に左下にのみ停止させることが可能な場合であっても下ライン用停止データと右上がり用停止データが対象となる。このように複数の入賞ラインが候補になる場合、抽選により一つの入賞ラインを確定し対象となる停止データを単一とする。今、ベル図柄を左下に停止させることが可能なタイミングで停止ボタンが押下され対象となる停止データとして右上がり用停止データが選択されたと仮定すると順押しグループの右上がり用停止データまたは挟み押しグループの右上がり用停止データが参照され（この段階では前記２種類のグループの停止データが対象となるが、第１停止操作の対象である左リールのデータは共通化されているのでいずれの停止データを用いたとしても同じである）、第１停止操作による左リールの停止はベル図柄が左下で停止するようにリール制御されることになる。なお、第１停止操作でベル図柄が引き込めない場合、ハズレ用の停止データが選択され、この段階でハズレが確定する。次に第２停止操作として右ボタンが操作されたと仮定すれば押し順は挟み押しが確定される。よって以降は挟み押しグループの右上がり用停止データが参照され、リール制御が実行される。右上位置にベル図柄が引き込めるタイミングで第２停止操作が実行されているならその際に取得された右ボタン番号（番号３）および図柄番号の該当テーブル要素には右上にベル図柄が停止する進みコマ数が記録されていることになる。逆にそれ以外のタイミングで停止ボタンが押下されたなら右上位置にはベル図柄は揃わずまた、すべての停止操作が終了した段階でいずれの入賞ラインにも役を構成する図柄が揃わないような進みコマ数が記録されているテーブル要素を参照することになる。第３停止操作も第２停止操作と同様である。
【００４８】
前記したリールの停止操作は入賞条件として停止ボタンの押し順に正当性を要求しない場合であるが、正当な停止ボタンの押し順を要求する場合も同様である。ただし、各押し順用の停止データグループには、その押し順で停止ボタンが操作されたなら入賞する可能性のある停止データ群（各入賞ライン用の停止データ）とその押し順で操作されなかったならハズレとなる停止データを含める。たとえばベル賞への当選に押し順の正当性が要求されるとし、内部抽選（本発明の場合第１抽選手段および第２抽選手段の抽選）で順押しベル賞群に当選した場合、順押しベル賞用の停止データ群には、順押しグループ、挟み押しグループ、中押しグループ、逆押しグループ、逆挟み押しグループ、逆中押しグループの各停止データグループを含み、順押しグループの停止データグループにはベル図柄が入賞ラインに揃う可能性のある停止データ群（各入賞ライン用の停止データ）を含み、その他のグループの停止データグループにはハズレ用の停止データを含める。この結果、停止ボタンが順押しで操作された場合にはベル図柄が入賞ラインに揃う可能性はあるがその他の順序で停止操作された場合にはハズレとなるリール制御が行われる。
【００４９】
上記のとおり本明細書では「停止データ」、「停止データ群」および停止データを用いた場合の「リール停止制御手段」を解釈する。なお、停止プログラムによる制御も上記と同様である。ただし、停止プログラムによる制御では予め停止データを用意するのではなく、当選やリールの停止操作の際に入賞条件を逐次判断し、入賞させるあるいはさせないための図柄の停止位置の制御を行う。
【００５０】
「入賞可能な停止データまたは停止プログラム」とは、その停止データまたは停止プログラムを利用したリール停止制御を行えば、役を構成する図柄が入賞ラインに揃う可能性がある停止データまたは停止プログラムをいう。つまり、前記リール停止制御の説明において述べたとおり、入賞可能な停止データまたは停止プログラムを利用してリールの停止制御を行ったとしても、必ず入賞するわけではない。停止ボタンの押下タイミングによっては役を構成する図柄を入賞ラインに引き込めない場合もあり、このような場合たとえ入賞可能な停止データまたは停止プログラムを利用したとしても入賞することはない。逆に適切なタイミングで停止ボタンが押下されたなら役を構成する図柄が入賞ライン上に停止し、入賞を果たすことができる。
【００５１】
「第１条件」とは、ゲーム状態を特別な特典（第２当選賞群または前記当選役を所定の特定賞群または特定役に固定する特典）を付与する状態に移行するための条件である。第１条件として、任意の第１賞群に入賞したこと、任意の第２賞群に当選したにも関わらず前記第２賞群に入賞しなかったこと、あらかじめ定められた所定量の遊技価値を得られなかったこと、任意の第３賞群もしくはハズレが抽選されたこと、または、これら条件とその他の条件がともに充足されたこと、等を例示できる。「第２条件」とは開始されていた特典付与状態を終了させる条件である。第２条件として、任意の第１賞群に入賞したこと、任意の第２賞群に当選したにも関わらず前記第２賞群に入賞しなかったこと、前記第１条件を満足したゲーム以降のゲーム数を計数するゲーム数計数手段が所定の値に達したこと、前記第１条件を満足したゲーム以降のゲームにおいて前記特定賞群に入賞した回数を計数する入賞数計数手段が所定の値に達したこと、または、前記第１条件を満足したゲーム以降のゲームにおいてあらかじめ定められた所定量の遊技価値を得たこと等を例示できる。たとえばチェリー賞等任意の賞群（第１賞群）への入賞（または当選）、スイカ賞等任意の賞群（第２賞群）の取りこぼし、スイカ賞等任意の賞群に当選したにも関わらずたとえば１０回以上取りこぼした（所定量の遊技価値を得られなかった）ことによって特典付与が開始される。これにより従来のＢＢ賞やＲＢ賞等のボーナスゲームとは異なる新たなボーナスゲームを提供でき、また、新たな小役補正方法を提供できる。また、特典内容が後述するように特定賞群または特定役への固定であるから、これら特定賞群または特定役を探索する楽しみも提供される。特典付与状態の終了については、たとえばリプレイ賞への入賞が終了条件である場合、リプレイ外しを有効として遊技者の技術介入を導入し高い技術を有する遊技者にも満足を与えることができる。また、たとえばスイカ賞等の取りこぼしによって特典状態が終了するように構成することによって、取りこぼしを一種のペナルティとし、技術介入度を導入して前記同様高い技術を有する遊技者にも満足を与えることができる。さらに、所定回数のゲームの消化、所定回数の入賞、所定量の遊技価値を得ること等によって特典付与状態を終了させることができる。
【００５２】
「第１判断手段」とは、第１条件を満足するかの判断を行う手段であり、「第２判断手段」とは、第２条件を満足するかの判断を行う手段である。第１判断手段および第２判断手段は、たとえば情報処理組織とソフトウェアとを用いて構成できる。しかしそれに限定される必要はなく、たとえば判断を行うための電気的な専用回路または機械的機構によって判断手段を構成することも可能である。
【００５３】
「ゲーム状態」とは、第１状態あるいは第２状態の何れかの状態にあるゲームの状態をいう。ここで「第１状態」とは、第２判断手段の判断が第２条件を満足したと判断した場合に第２状態から変更される状態であり、「第２状態」は、第１判断手段の判断が第１条件を満足したと判断した場合に第１状態から変更される状態である。すなわち、第１状態にあって第１条件を満足した場合に第２状態に移行し、第２状態にあって第２条件を満足した場合に第１条件に移行する。前記のとおり、第１条件が遊技者への特典付与を開始する条件であり、第２条件が特典付与を終了する条件であることから、第１状態は遊技者に特典が付与されていない通常のゲーム状態であり、第２状態は遊技者に特典を付与している特別なゲーム状態となる。
【００５４】
「ゲーム状態記録手段」とは、これらゲーム状態を変更および記録する手段であり第１条件の判断および第２条件の判断によって状態が変更される。なお、記録手段としては半導体メモリ等一般的な情報記録装置を用いることができる。また、状態変更手段としては第１条件を満足する場合にＨｉｇｈまたはＬｏｗレベルとなる信号および第２条件を満足する場合にＨｉｇｈまたはＬｏｗレベルとなる信号を入力とするフリップフロップ回路等を例示できる。一般的には状態記録手段はフラグとして構成することが可能である。
【００５５】
「特定賞群」または「特定役」とは、特典付与状態において固定される第２当選賞群または当選役である。この場合、特典付与状態では、第２抽選を行わずに特定賞群または特定役を当選賞群または当選役として取り扱うという意味である。すなわち、たとえばベル賞入賞に正当な押し順が要求され第１抽選でベル賞に当選した場合、特典付与状態では、常にある押し順（たとえば順押し）に固定される。また、たとえばベル賞群に赤ベル役、青ベル役、白ベル役等複数の役が含まれ第１抽選でベル賞に当選した場合、特典付与状態では、常にある役（たとえば赤ベル役）に固定される。このように第２抽選で抽選される当選賞群または当選役を固定することにより、遊技者はその固定された賞群または役を探索する楽しみを味わうことができ、新たなゲーム性を提供できる。また、一旦その固定された賞群等を探し当てた場合あるいは予めまたは他の特典によって報知される場合には、それ以降特典状態が解除されるまでの間、遊技者はその特典を最大限に享受することができる。つまり、たとえば押し順が固定される場合、同一の押し順を続けて採用することによって高い確率で入賞を果たすことが可能になる。また、本発明では押し順ごとの当選賞群等あるいは当選役が固定されることになるので、特典付与状態では特定の押し順あるいは特定の狙い図柄でゲームを続行することとなる。このような状況は遊技者が常に一定の操作によって特典を享受できる環境を提供することになり、複雑な操作を好まない遊技者にも高い満足を与えることができる。
【００５６】
なお、「特定賞群」または「特定役」には、第２抽選手段の抽選の対象となる賞群や役に常に入賞することが可能な特別な賞群または役を含む。たとえばベル賞の入賞に正当な押し順が要求される場合に、特典付与状態では、いずれの押し順であっても入賞する可能性のある賞群に「固定」する、または、ベル賞が複数の役を含み、特典付与状態では、いずれの役にも入賞可能な特別な役に「固定」する、構成が採用できる。
【００５７】
なお、上記した発明の第２当選賞群または当選役の「固定」は、内部抽選による賞群の選択が一度の抽選で行われる他の発明によっても同様のゲーム性を実現することができる。すなわち、複数の図柄を可変表示する複数のリールと、前記可変表示を停止する複数の停止ボタンと、当選賞群またはハズレを抽選する抽選手段と、前記当選賞群に入賞可能な停止データまたは停止プログラムを含む停止制御データ群または停止制御プログラム群を用いて前記リールの制御を行うリール制御手段と、を含み、前記抽選手段には、乱数発生手段と、賞群ごとの当選確率に相当する数値幅が割り当てられている賞群抽選テーブルと、前記乱数発生手段で生成した乱数値が前記数値幅に含まれるかを照合する照合手段と、前記照合手段の照合操作を実行する毎にそのカウンタ値が増加または減少するカウンタ手段と、を含み、前記照合操作は所定の順番で前記賞群ごとに実行され、前記乱数値が前記数値幅に含まれると照合された段階で前記カウンタ手段を停止し、前記カウンタ値に対応する賞群を当選賞群とする遊技装置であって、第１条件を満足するかを判断する第１判断手段と、第２条件を満足するかを判断する第２判断手段と、ゲームの状態を、前記第１判断手段の判断が真である場合に第１状態から第２状態に、前記第２判断手段の判断が真である場合に第２状態から第１状態に、変更するゲーム状態記録手段と、前記カウンタ値が所定の範囲内であるかを判断する第３判断手段と、を有し、前記ゲーム状態記録手段に記録されているゲームの状態が前記第２状態であり、かつ、前記第３判断手段の判断が真である場合に、前記当選賞群を所定の特定賞群とする遊技装置である。この発明では、カウンタ手段を用い、このカウンタ手段のカウンタ値と賞群とを関連付けて内部抽選を実行している。この場合、カウンタ値が所定の値の場合に当選賞群を「特定賞群に固定」することができる。このような１度の内部抽選によっても前記した特典状態を実現することが可能である。
【００５８】
ここで、「乱数発生手段」は、ある数値範囲に属する数値を発生する手段であり、発生される数値間に依存関係がない数値（乱数）を生成する手段である。ただし、本明細書における乱数発生手段では、生成される乱数は完全な乱数である必要はなく、ゲームを実行するに際して実質的にランダムな数値を生成できる限り擬似的な乱数であってもよい。乱数発生手段は情報処理組織とソフトウェアとによって構成できるが、乱数発生のための専用回路で構成することも可能である。「照合手段」は、ある数値がある数値幅に含まれるかを判断する手段である。たとえば情報処理組織とソフトウェアによって照合手段を構成できる。ただし、この構成に限られず、照合のための電気的な専用回路あるいは機械的機構によって照合手段を構成することもできる。「カウンタ手段」は、カウンタ値を記録する手段を有し、ある操作があったこと等の制御入力を契機としてカウンタ値が増加または減少する手段である。制御入力は、本発明の場合、照合手段の照合操作が実行されたこととなる。カウンタ手段のカウンタ値の増加幅または減少幅は代表的には１である。ただし１に限られず任意の増加幅または減少幅を採用できる。カウンタ値の記録手段は汎用メモリあるいはレジスタによって構成でき、カウンタ手段は情報処理組織およびソフトウェアによって構成できる。ただし、電気的な専用回路あるいは機械的な機構によりカウンタ手段を構成することも可能である。「第３判断手段」は、カウンタ値が所定の範囲内であるかを判断する手段である。代表的には情報処理組織およびソフトウェアによって第３判断手段を構成できる。ただし、電気的な専用回路あるいは機械的機構によって第３判断手段を構成することもできる。
【００５９】
また、上記した発明では、特典状態である旨を遊技者に報知することが可能である。報知することによって遊技者に特典状態にあることを積極的に知らしめ、遊技者への助力とすることができる。また、報知によって遊技者の期待感を高め、高い満足とゲームの楽しみを提供できる。なお、固定されている特定賞群当の探索を目的とする場合、その特定賞群を報知することは好ましくないが、ヒントとなる情報や特定賞群等そのものを報知することも可能である。ヒントとなる情報としては、以前のゲームにおける前記停止ボタンの操作順に関する情報や入賞ライン上に揃った前記リールの図柄を例示できる。これらヒント情報を参照すれば、特典状態にありながら未だ特典を享受できていない遊技者に消去法による探索情報を提供することができる。
【００６０】
【発明の実施の形態】
以下、本発明の一実施形態を図面に基づいて詳細に説明する。ただし、本発明は多くの異なる態様で実施することが可能であり、本実施の形態の記載内容に限定して解釈すべきではない。なお、実施の形態の全体を通して同じ要素には同じ番号を付するものとする。
【００６１】
図１は、本発明の一実施の形態である遊技装置の一例を示した正面図である。表示装置１は、遊技の演出を行うダイス型の模型である。表示装置１は、遊技中に回転し、演出を行う。ランプ５は遊技演出装置であり、遊技内容に応じて点灯し、遊技を演出する。表示装置１および遊技演出装置５は、ＬＥＤ等の発光素子アレイで構成される画像表示装置あるいはブラウン管あるいは液晶表示装置に置き換え可能である。ランプ２は、ボーナスゲーム表示器であり、ＢＢ賞あるいはＲＢ賞に入賞した場合に点灯し、遊技を演出する表示器である。スピーカ３、４および３２は、遊技内容に合わせて各種の効果音を発生する。
【００６２】
リール（回胴）３５、３６および３７は、円周方向に役を構成する複数の図柄が表示されている。各リールは、個別に回転し、後述するリール回転停止処理によって停止する。遊技装置には、各リールに対応して窓が形成され、リール上の図柄を装置外部に表示するための表示装置が構成されている。各窓からは、各リールにおいて同時に３つの図柄が装置外部から見えるようになっている。各リールに対応して３つの停止ボタン２８が配置されている。各リールは、それぞれのリールに対応する停止ボタンが押下されることを契機として、所定の手順に従って停止する。なお、リール３５、３６および３７に代えて液晶表示装置等に表示されるビデオリールを採用することも可能である。
【００６３】
遊技メダル投入表示ランプ７、８および９は、ベット操作によって遊技メダルが投入されたときに点灯する。メダル１枚投入の場合は、１メダルランプ７が点灯し、同時にその右方向１本の入賞ラインが有効であることを示す。メダル２枚投入の場合は、１メダルランプ７および２メダルランプ８が点灯し、同時にその右方向３本の入賞ラインが有効であることを示す。メダル３枚投入の場合は、１メダルランプ７〜３メダルランプ９の全てが点灯し、同時にその右方向３本と斜め２本を加えた５本の入賞ラインが有効であることを示す。なお、有効化された入賞ラインの何れかに予め定められた図柄の組み合わせが揃うと入賞となり、入賞に応じた遊技価値の付与がなされる。
【００６４】
スタートランプ１０は開始レバー２４が操作可能であることを示すランプである。リプレイ賞入賞表示ランプ１１、入賞表示ランプ１２、打ち止め表示ランプ１３、ＢＢゲーム中表示ランプ１４、ＲＢゲーム中表示ランプ１５は、各々、再遊技の作動、入賞、打ち止め、ＢＢゲーム制御の作動、ＲＢゲーム制御の作動を表示する。メダル投入可能表示ランプ１６は、遊技メダルの投入が可能であるときに点灯する。
【００６５】
ボタン１７、１８および２０はベットボタン（貯留遊技メダル投入ボタン）である。１枚ベットボタン１７、２枚ベットボタン１８、３枚ベットボタン２０の押下は、各々１枚、２枚、３枚の貯留（クレジット）された遊技メダルを投入しベットすることに対応する。クレジット精算ボタン１９は、貯留（クレジット）された遊技メダルを精算するときに押下する。遊技メダル返却ボタン２１は、投入された不良メダルが詰まったときに返却操作をするためのボタンである。
【００６６】
遊技メダル投入口２２は、遊技メダルを投入するための投入口である。ドアキー２３は打ち止め解除キーを兼用する。開始レバー２４は、リール（回胴）の回転を始動するときに操作するレバーである。開始レバーは、段階設定を行う場合の操作レバーを兼用する。クレジット枚数表示機２５、ボーナスカウント表示機２６、メダル配当表示機２７は、各々、遊技メダルの貯留枚数、ボーナス回数、遊技メダルの払出枚数を表示する。停止ボタン２８は、リールの回転を停止するときに押下するボタンである。左中右の各々のリールに対応した３つの停止ボタン２８が配置されている。遊技メダル払出口３３は遊技メダルの払出のための出口であり、払い出されたメダルは受け皿３４で受ける。
【００６７】
図２は、図１に例示する遊技装置の構造を、その機能について示したブロック図である。図２に例示する遊技装置は、遊技制御基板５０、演出機構制御基板７０を含んでいる。
【００６８】
遊技制御基板５０は、ＣＰＵ（ｃｅｎｔｒａｌ  ｐｒｏｃｅｓｓｉｎｇ  ｕｎｉｔ）５１、入力ポート５２、クロック発生回路５３、ＲＯＭ（ｒｅａｄ  ｏｎｌｙ  ｍｅｍｏｒｙ）５４、ＲＡＭ（ｒａｎｄｏｍ  ａｃｃｅｓｓ  ｍｅｍｏｒｙ）５５、乱数発生回路５６、出力ポート５７および５８、データ送出回路５９、送出タイミング制御回路６０を含む。
【００６９】
ＣＰＵ５１は各種データの送受信を制御し、また演算を行う。入力ポート５２は外部からの入力データを受け取るポートである。入力ポート５２に入力されるデータは、遊技者のボタンあるいはレバー操作により入力されるデータ、管理者のボタンあるいはスイッチ操作により入力されるデータ、各種センサからのデータがある。遊技者操作のボタン操作あるいはレバー操作により入力されるデータは、１枚ベットボタン１７、２枚ベットボタン１８および３枚ベットボタン２０からのボタン押下検知データ、開始レバー２４の操作検知データ、停止ボタン２８の押下検知データ、クレジット精算ボタン１９の押下検知データがある。管理者操作のボタン操作あるいはスイッチ操作により入力されるデータは、段階設定キースイッチ８２のスイッチデータ、リセットスイッチ６１のスイッチデータがある。各種センサからのデータには、メダル投入センサ６２、メダル払出センサ６３、メダル満杯センサ６４、各リールの位置検出センサ６５、ドアセンサ６６からのセンサデータがある。各センサは、各々のセンサに対応するイベントの発生あるいは状態の変化を検出する。クロック発生回路５３は、ＣＰＵ５１の動作タイミングをとるクロック信号を発生する。
【００７０】
ＲＯＭ５４には、装置の制御プログラム、賞群抽選テーブル、リール停止データ群等の各種データが記録されている。賞群抽選テーブルは、内部抽選の際に参照され、通常ゲーム用の賞群抽選テーブル、ＢＢゲーム用の賞群抽選テーブル、ＲＢゲーム用の賞群抽選テーブル等ゲーム態様に応じたテーブルが用意される。リール停止データ群は、リールの停止操作の際に参照されるリール停止制御テーブルの集まりである。リール停止制御テーブルは、リール毎に用意され、それぞれ当選フラグ（ハズレフラグを含む）に対応したテーブルを含む。なお、特定の賞群に入賞する必要条件として停止ボタンの停止操作順（押し順）が正当である要件が加重されている場合には、その賞群についてはさらに停止操作順ごとに入賞あるいは非入賞が定められたリール停止制御テーブルが用意される。これらＲＯＭ５４に記録されているデータは、ＣＰＵ５１より読み出されて実行あるいは参照される。
【００７１】
ＲＡＭ５５は、当選フラグやデータのワークエリアに使用される。乱数発生回路５６は、内部抽選その他の抽選を行う際に利用する乱数を発生する。乱数発生回路５６は、抽選を行う際に使用する数列を発生する数列発生器として機能する。例えば、乱数発生器５６は０〜９９９９９までの数値をランダムに排出する。抽選は、この数値の一つを抽出し、それを所定の抽選テーブルに当てはめることで行われる。
【００７２】
前記したＣＰＵ５１、ＲＯＭ５４、ＲＡＭ５５等のハードウェア資源およびＲＯＭ５４に記録されたプログラムやデータ等ソフトウェアは、本実施の形態の抽選手段（第１抽選手段または第２抽選手段）、リール停止制御手段、各種判断手段（第１判断手段、第２判断手段または第３判断手段）、ゲーム状態記録手段、および、カウンタ手段を構成する。すなわち、ＲＯＭ５４に記録された抽選、リール停止制御あるいは判断等、その機能を実現するプログラムは、ＣＰＵ５１に読み出されて実行され、ＲＯＭ５４に記録されている賞群抽選テーブル、リール停止制御テーブル等のデータをＣＰＵ５１に読み出しあるいはＲＡＭ５５に転送し、後に説明する抽選、リール停止制御等の各種処理の手順を実行する。本明細書においてこれら抽選、リール制御等の制御手段には、具体的なコンピュータハードウェア資源のみならず、それらハードウェア資源を機能させるためのプログラムあるいはデータ等ソフトウェアをも含むものとする。なお、抽選、リール停止制御等の各種制御手段として前記のとおりＣＰＵ５１等コンピュータによる制御手段を例示するがこれに限られる必要はなく、電気的な専用回路によって、あるいは機械的な機構によって（すなわちソフトウェア等制御手順を記録した情報を参照することなく）抽選、リール停止制御等の各種処理手段を構成することも可能である。
【００７３】
出力ポート５７は、左中右の各リール駆動モータ６７への制御信号、メダル払出モータ６８への制御信号、メダルブロッカソレノイド６９への制御信号を出力する。
【００７４】
出力ポート５８は、各種ランプおよび表示機への出力データを出力する。すなわち、１メダルランプ７、２メダルランプ８、３メダルランプ９、スタートランプ１０、リプレイ賞入賞表示ランプ１１、入賞表示ランプ１２、打ち止め表示ランプ１３、ＢＢゲーム中表示ランプ１４、ＲＢゲーム中表示ランプ１５、メダル投入可能表示ランプ１６、クレジット枚数表示機２５、ボーナスカウント表示機２６、メダル配当表示機２７へのランプ点灯信号あるいは表示信号を出力する。
【００７５】
データ送出回路５９は、演出機構制御基板７０に送信するデータを送信する回路である。送出するデータには後に説明する当選賞群に関するデータや現在状態選択手段の一つであるカウンタの値を参照して生成されるコマンド等が含まれる。送出タイミング制御回路６０は、データ送出回路５９の送信タイミングを制御する回路である。送出タイミングは、後に説明するように送出するデータが生成された時点からある程度のずれを生じる。ずれの時間は最大ずれ時間の範囲内でランダムに決定される。最大ずれ時間としてたとえば４０ｍｓｅｃが例示できる。
【００７６】
演出機構制御基板７０は、遊技演出を制御する機能を有する。遊技演出は、遊技演出装置１およびスピーカ３、４および３２、さらにランプ２および５から行われる。演出機構制御基板７０は、ＣＰＵ７２、遊技演出装置駆動回路７３、乱数発生回路７４、データ入力回路７５、クロック発生回路７６、ランプ駆動回路７７、ＲＡＭ７８、サウンドＬＳＩ（ｌａｒｇｅ  ｓｃａｌｅ  ｉｎｔｅｇｒａｔｅｄ  ｃｉｒｃｕｉｔ）７９、アンプ回路８０、ＲＯＭ８１ａおよびサウンドＲＯＭ８１ｂを含む。本実施の形態ではＲＯＭを、サウンドＬＳＩ用のサウンドＲＯＭ８１ｂおよびＣＰＵ用のＲＯＭ８１ａの２つを用いているが、サウンドＬＳＩ用およびＣＰＵ用のＲＯＭを共用してもよい。
【００７７】
ＣＰＵ７２は、演出機構制御基板７０の機能を統括制御するもので、各種信号やデータの制御および演算を行う。遊技演出装置駆動回路７３は、ＣＰＵ７２からの指示に従い遊技演出装置１を駆動する機能を有する。乱数発生回路７４は、演出機構制御基板７０で行われる抽選処理を行う際に利用する乱数を発生する。データ入力回路７５は、遊技制御基板から送られてくるデータを受け取る回路である。クロック発生回路７６は、ＣＰＵ７２の動作タイミングをとるクロック信号を発生する。ランプ駆動回路７７は、演出用のランプ２および５を駆動する。ＲＡＭ７８はデータワークエリアとして使用される。サウンドＬＳＩ７９は、音響データを制御し演算を行い、演出処理用の音響信号を生成する。アンプ回路８０は、サウンドＬＳＩ７９で生成された音響信号を増幅する。増幅された音響信号は、音量調節回路８５で音量が調節され、スピーカ３、４および３２から演出音として出力される。ＲＯＭ８１ａには、ＣＰＵ７２が制御を行うためのプログラム、およびデータが記録される。サウンドＲＯＭ８１ｂには、音声、演出効果のための音源その他の音源データが記録される。なお、遊技演出装置１およびランプ５が液晶表示装置等の画像表示装置に置き換えられる場合には、画像表示制御用のドライバ回路をさらに備える。この場合前記したＣＰＵ７２はドライバ回路に送信する画像データ等を制御する。また、表示画像データが記録されたＲＯＭを備える。
【００７８】
また、演出機構制御基板７０は、後に説明する報知演出を行う。報知演出は遊技制御基板５０からのデータを受けて入賞に必要な情報を遊技者に報知するものである。報知演出は、液晶表示装置等の表示装置に入賞に必要な情報を表示する、音や音声あるいは光によって入賞に必要タイミングを知らせる、等の動作を実行する。これら報知演出に必要なプログラムは演出機構制御基板７０内のＲＯＭあるいはＲＡＭに記録される。
【００７９】
以上本実施の形態の遊技装置の構成を説明した。次に本実施の形態の遊技装置による遊技の一例を説明する。図３〜図６は本実施の形態の遊技装置で実施される１ゲームの流れを例示するフローチャートである。
【００８０】
まず、１ゲームの処理が開始されると、ベット操作があるかを判断し（ステップ１０１）、ベット操作がある場合はステップ１０２に進む。ベット操作を検知するまではステップ１０１は繰り返される。ステップ１０１でベット操作を検知すると、開始レバー（スタートレバー）の操作があるかが判断され（ステップ１０２）、開始レバーの操作が検知されれば、ステップ１０３へ進む。ここで、開始レバーの操作を検知するまではステップ１０２は繰り返される。
【００８１】
ステップ１０３でベット操作を禁止し、ゲーム態様に応じた賞群抽選テーブルを設定する（ステップ１０４）。その後、設定した賞群抽選テーブルを用いて内部抽選（第１抽選手段の抽選）を行う（ステップ１０５）。そして内部抽選の結果を受けて当選フラグをセットする（ステップ１０６）。
【００８２】
図７は抽選処理の一例を示したフローチャートであり、図８は抽選処理に用いられる賞群抽選テーブルの一例を示した概念図である。抽選処理が開始されると、まず、賞群の抽選に用いる乱数値のサンプリングを行う（ステップ２０１）。乱数値を生成する乱数発生器は、電子的に数値を生成する汎用の乱数発生装置が採用できる。次に、ジャックゲーム中かを判断し（ステップ２０２）、ジャックゲーム中である場合には役物遊技の抽選に用いる乱数値をサンプリングする（ステップ２０３）。そして、図８（ｄ）に示す賞群抽選テーブルを用いて役物（ＪＡＣ）当選かを判断する（ステップ２０４）。ジャック当選である場合はジャック当選フラグをセットし（ステップ２０５）、そうでない場合はジャック当選フラグをセットしないでこの処理を終了する（ステップ２０６）。
【００８３】
一方、ステップ２０２でジャックゲーム中でないと判断された場合、ＢＢ動作中（ＢＢゲーム中）であるかを判断し（ステップ２０７）、ＢＢ動作中である場合はサーチカウンタの値を４に設定し（ステップ２０８）、その後ＢＢ動作時の一般遊技中に利用される抽選テーブル（図８（ｃ）の上段）を設定する（ステップ２０９）。一方、ステップ２０７でＢＢ動作中でない場合は、サーチカウンタの値を４に設定し（ステップ２１０）、ＢＢ未動作時の一般遊技中の抽選テーブル（図８（ａ）の上段）を設定する（ステップ２１１）。続けてＢＢ当選フラグがあるかを判断し（ステップ２１２）、さらにＲＢ当選フラグがあるかを判断し（ステップ２１３）、これら判断がいずれも偽の場合（ＢＢ，ＲＢいずれの当選フラグもない場合）、サーチカウンタの値を６に設定する（ステップ２１４）。一方、ＢＢ，ＲＢいずれかの当選フラグがある場合はサーチカウンタの値は４のままステップ２１５に進む。
【００８４】
ステップ２１５では、乱数値が１つの賞群に当選するかを比較する（ステップ２１５）。この比較では、設定された賞群抽選テーブルにおける現サーチカウンタの値で表される賞群の数値幅に乱数値が含まれるかで判断することになる。含まれる場合は当選であり、含まれない場合は非当選である（ステップ２１６）。非当選の場合はサーチカウンタの値を１減算し（ステップ２１７）、終了かを判断して（ステップ２１８）、終了の場合は処理を終了し（ステップ２１９）、そうでない場合はステップ２１５に戻って次の賞群の比較を行う（ステップ２１５）。ここで、図８（ｂ）の説明を補足する。図７に示すフローチャートでは、用いる賞群抽選テーブルはジャック用の抽選テーブルと、ＢＢ動作時の一般遊技中抽選テーブルと、ＢＢ未動作時の一般遊戯中抽選テーブルの３種類である。しかし、ＢＢあるいはＲＢ当選フラグがある場合にはサーチカウンタの初期値を４とすることで実質的に抽選テーブルを４種類に拡張している。つまり、サーチカウンタの初期値が４で始まる処理（ＢＢあるいはＲＢ当選フラグがある場合）には、図８（ａ）上段の抽選テーブルを用いても４つの賞群についてまでしか当否が判断されない。このためＢＢ賞およびＲＢ賞への当選は判断されず、仮にこの数値幅内に乱数値が存在したとしてもハズレと判断される。これは図８（ｂ）上段の賞群抽選テーブルを用いた場合と同様の結果を与える。
【００８５】
ステップ２１６でそのサーチカウンタ値の賞群に当選と判断された場合、ステップ２２０に進み、ベル役当選かを判断する（ステップ２２０）。ベル当選でない場合は処理を終了する（ステップ２２６）。ベル当選の場合、押下順序固定中かを判断し（ステップ２２１）、固定期間である場合（特典が付与された状態、つまり第２状態である場合）は押下固定番号（０〜５）に対応する賞群を当選とする（ステップ２２２）。一方、押下固定期間でない（特典が付与されていない状態、つまり第１状態）と判断された場合、第２抽選処理に使用する乱数値をサンプリングし（ステップ２２３）、乱数値が１つの押下順序別の賞群に当選するかを比較する（ステップ２２４）。ここで参照される賞群抽選テーブルは図８（ａ）〜（ｃ）の各下段に示したテーブルである。６通りの押し順に対応する押下順序別のベル賞が数値幅として割り当てられている。非当選の場合はステップ２２４に戻って処理を続行し（ステップ２２５）、当選の場合には処理を終了する（ステップ２２６）。つまり、本実施の形態では、ベル当選の場合にさらに押下順序を抽選（第２抽選）する遊技であり、固定期間中でない場合はランダムに抽選された押下順序で停止ボタンを停止操作しなければ入賞を果たすことはできない。一方、固定期間中の場合、押下順序はある特定の押下順序に強制的に固定される。
【００８６】
図９は、当選フラグのセット処理の一例を示したフローチャートである。まず、ＢＢ賞に当選したかを判断し（ステップ２５１）、当選の場合はＢＢ賞当選フラグをセットする（ステップ２５２）。非当選の場合はステップ２５３に進む。
【００８７】
次に、通常ゲーム中のＲＢ賞に当選したかを判断し（ステップ２５３）、当選の場合は単独ＲＢ賞当選フラグをセットする（ステップ２５４）。非当選の場合はステップ２５５に進む。なおここでいう通常ゲームとは、先に定義した通常ゲームに含まれるゲーム態様の一種であるが、当選確率が高く設定されている通常ゲーム（先に定義した高当選通常ゲーム）を含まない通常ゲームをいう。一般にＢＢ賞やＲＢ賞に入賞すると各賞への当選確率が高く設定されている高確率ゲームに移行するが、ここでいう通常ゲームはこのような高確率状態にない通常ゲームを指す。
【００８８】
次に、ＢＢゲーム中のＲＢ賞に当選したかを判断し（ステップ２５５）、当選の場合はＢＢ中ＲＢ賞当選フラグをセットする（ステップ２５６）。非当選の場合はステップ２５７に進む。なお、ＢＢゲームとはＢＢ賞に入賞することによって与えられる特典ゲームであり、通常のゲームで設定されている各賞への当選確率より高い当選確率が設定されているゲームである。先に定義した高当選通常ゲームに含まれるゲーム態様の一種である。
【００８９】
次に、順押しベル賞に当選したかを判断し（ステップ２５７）、当選の場合は順押しベル賞当選フラグをセットする（ステップ２５８）。非当選の場合はステップ２５９に進む。同様に、その他の各賞（挟み押しベル賞、中押しベル賞、逆中押しベル賞、逆押しベル賞、逆挟み押しベル賞、スイカ賞、チェリー賞、リプレイ賞）に当選の場合は、各賞に応じた当選フラグをセットする（ステップ２５９〜２７４）。
【００９０】
以上のようにして内部抽選の結果を受けた当選フラグのセット処理が終了する。図３に戻って説明を続ける。
【００９１】
当選フラグのセット処理（ステップ１０６）の終了後、リール停止データ群の選択処理を行う（ステップ１０７）。リール停止データ群は、リール停止制御テーブル（停止テーブル）の集まりとして提供される。図１０は、リール停止データ群の選択処理の一例を示したフローチャートである。
【００９２】
まず、ＪＡＣ賞当選フラグがセットされているかを判断し（ステップ３０１）、セットされている場合はリール停止データ群からＪＡＣ用リール停止データ群を選択する（ステップ３０２）。その後本停止データ群の選択処理を終了する。ＪＡＣ賞当選フラグがセットされていない場合は次の賞（図ではリプレイ賞）についての当選フラグがセットされているかの検証ステップに進む（ステップ３０３）。リプレイ賞、スイカ賞、チェリー賞、ＢＢ賞、ＲＢ賞について同様な検証ステップを経て該当する場合には各賞用の停止データ群を選択する（ステップ３０３〜ステップ３１２）。なおチェリー当選フラグがセットされている場合、ＢＢもしくはＲＢとの重賞がありえるのでさらにＢＢ当選フラグがあるか（ステップ３０８）、ＲＢ当選フラグがあるか（ステップ３１０）を判断し、各場合に応じて停止データ群を選択する。上記各賞の何れにも該当していない場合は、ステップ３１３〜３３０で各停止操作順序別のベル賞当選フラグがセットされているかの判断および停止データ群の選択を行う。
【００９３】
上記各賞群のいずれにも当選しなかった場合不当選用停止データを選択する（ステップ３３１）。その後本停止データ群の選択処理を終了する。
【００９４】
なお、ベル賞は一般に小役であり通常は当選フラグが持ち越されるＢＢ賞やＲＢ賞の前に停止データ群の選択処理が行われる。しかし、本実施の形態ではＢＢ賞やＲＢ賞の後にベル賞の停止データ群の選択処理が行われる（ステップ３１５〜３１７）。これは以下の理由による。つまり後に説明するように本実施の形態ではベル賞への当選確率が高く設定されている。このため、ＢＢ賞やＲＢ賞の当選フラグがセット（持ち越し）されていても、ベル賞当選フラグの判定を先に行ったのではＢＢ賞やＲＢ賞の停止データ群が選択されず入賞できない頻度が高くなる。このような事態を避けるためにベル賞用停止データ群の選択を最後に行う。
【００９５】
以上のようにして停止データ群の選択が終了する。さらに図３に戻って説明を続ける。リール停止データ群の選択が終了した後、リールの回転を開始し（ステップ１０８）、リールの回転停止処理を実行する（ステップ１０９）。
【００９６】
図１１〜図１３は、リール停止制御の一例を示したフローチャートである。まず、１回目の停止ボタンが押下されたかを判断し（ステップ４０１）、押下された場合にはステップ４０２に進み、押下されない場合にはステップ４０１を繰り返す。ステップ４０２では、押下された停止ボタンの番号を取得する（ステップ４０２）。さらに、押下されたリール（回胴）の基準位置の図柄番号を取得する（ステップ４０３）。次に第１停止ボタンが押下されているかを判断し（ステップ４０４）、第１停止ボタンが押下されている場合には押下順序を順押しまたは挟み押しに仮設定し（ステップ４０５）、選択された当選賞群用の停止データ群から停止テーブルの第１回胴の該当押下位置で停止可能な候補群を選択する（ステップ４０６）。その後ステップ４１２に進む。ステップ４０４で第１停止ボタンが押下されていないと判断された場合には、第２停止ボタンが押下されているかを判断し（ステップ４０７）、第２停止ボタンが押下されている場合には押下順序を中押しまたは逆中押しに仮設定し（ステップ４０８）、選択された当選賞群用の停止データ群から停止テーブルの第２回胴の該当押下位置で停止可能な候補群を選択する（ステップ４０９）。その後ステップ４１２に進む。ステップ４０７で第２停止ボタンが押下されていないと判断された場合には、第３停止ボタンが押下されているため押下順序を逆押しまたは逆挟み押しに仮設定し（ステップ４１０）、選択された当選賞群用の停止データ群から停止テーブルの第３回胴の該当押下位置で停止可能な候補群を選択する（ステップ４１１）。その後ステップ４１２に進む
【００９７】
ステップ４１２では選択された候補が１つしかないかを判断し（ステップ４１２）、複数ある場合にはランダムに１つの候補を選択して（ステップ４１３）選択された停止テーブルとする。単数の場合はそれが選択された停止テーブルとなる。
【００９８】
次に、選択された停止テーブル番号を仮設定された押下順序の第１停止処理で用いるように登録し（ステップ４１４）、選択登録された停止テーブルの押下された停止ボタンに対応するリールのデータテーブルを取得する（ステップ４１５）。さらに、基準位置の図柄番号として取得された図柄番号の位置に記録されたすべりコマ数を取得し（ステップ４１６）、押下されたリールの基準位置の図柄番号とすべりコマ数とから目標位置を算出する（ステップ４１７）。なお、目標位置が図柄番号の最大値（２１）を超える場合には（ステップ４１８）適切な位置補正を行った後（ステップ４１９）、目標位置にリールを停止する）ステップ４２０）。以上で１回目の停止ボタンにかかるリールの停止処理が終了する。
【００９９】
次に２回目の停止ボタンが押下されたかを判断し（ステップ４２１）、押下された場合にはステップ４２２に進み、押下されない場合にはステップ４２１を繰り返す。１回目の場合と同様、押下された停止ボタンの番号の取得（ステップ４２２）、押下されたリール（回胴）の基準位置の図柄番号の取得を行う（ステップ４２３）。次に、第１停止処理で第１停止ボタンが押下されているかを判断し（ステップ４２４）、真の場合にはさらに今回は第２停止ボタンが押下されているかを判断する（ステップ４２５）。第２停止ボタンが押下されている場合は押下順序は順押しに確定であり（ステップ４２６）、押下されていない場合は挟み押しに確定である（ステップ４２７）。ステップ４２４で第１停止処理では第１停止ボタンではないと判断された場合、さらに第１停止処理では第２停止ボタンが押下されたかを判断し（ステップ４２８）、真の場合はさらに今回は第１停止ボタンが押下されているかを判断する（ステップ４２９）。第１停止ボタンが押下されている場合は押下順序は中押しに確定であり（ステップ４３０）、押下されていない場合は逆中押しに確定である（ステップ４３１）。ステップ４２８で第１停止処理では第２停止ボタンではないと判断された場合、さらに今回は第１停止ボタンが押下されているかを判断する（ステップ４３２）。第１停止ボタンが押下されている場合は押下順序は逆挟み押しに確定であり（ステップ４３３）、押下されていない場合は逆押しに確定である（ステップ４３４）。以上のようにして停止ボタンの押し順が確定される。
【０１００】
次に確定された押下順序別の停止テーブルを登録し（ステップ４３５）、確定された押下順序別の停止テーブルの押下された停止ボタンに対応するリールのデータテーブルを取得する（ステップ４３６）。さらに、基準位置の図柄番号として取得された図柄番号の位置に記録されたすべりコマ数を取得し（ステップ４３７）、押下されたリールの基準位置の図柄番号とすべりコマ数とから目標位置を算出する（ステップ４３８）。目標位置が図柄番号の最大値（２１）を超える場合には（ステップ４３９）適切な位置補正を行った後（ステップ４４０）、目標位置にリールを停止する（ステップ４４１）。以上で２回目の停止ボタンにかかるリールの停止処理が終了する。
【０１０１】
次に３回目の停止ボタンが押下されたかを判断し（ステップ４４２）、押下された場合にはステップ４４３に進み、押下されない場合にはステップ４４２を繰り返す。１回目の場合と同様、押下された停止ボタンの番号の取得（ステップ４４３）、押下されたリール（回胴）の基準位置の図柄番号の取得を行う（ステップ４４４）。次に、確定された押下順序別の停止テーブルの押下された停止ボタンに対応するリールのデータテーブルを取得する（ステップ４４５）。さらに、基準位置の図柄番号として取得された図柄番号の位置に記録されたすべりコマ数を取得し（ステップ４４６）、押下されたリールの基準位置の図柄番号とすべりコマ数とから目標位置を算出する（ステップ４４７）。目標位置が図柄番号の最大値（２１）を超える場合には（ステップ４４８）適切な位置補正を行った後（ステップ４４９）、目標位置にリールを停止する（ステップ４５０）。以上ですべてのリールの停止処理が終了する。
【０１０２】
なお、リール停止制御テーブルが決定されたとしてもリール停止操作によって取得した図柄番号により入賞であるか非入賞であるかが相違するのが一般的である。つまり入賞できる図柄番号を取得するタイミングで停止ボタンを押下しなければ入賞できないいわゆる目押しが必要である。しかし、何れかの押し順のベル賞に当選の場合、停止操作の順番（停止ボタンの押し順）が正当であることを入賞の条件とするため、図柄番号についてはどのような番号が取得されたとしても他の要件を満足する限り入賞できるようにリール停止制御テーブル内のデータを構成することができる。つまり目押しが必要のない完全引き込みのリール制御を行う。すなわちリールへの図柄配置としてベル図柄を５コマ以上の間隔が開かないように配置する。このような図柄配置の場合、停止ボタンがどのようなタイミングで押されたとしても４コマ内の図柄引き込みによって必ずベル図柄が揃うようにリールの停止制御が行われる。よって、ベル賞に当選し他の入賞要件を満足している場合に決定されるリール停止テーブルの場合にはいわゆる目押しをする必要がない。
【０１０３】
さらに図３に戻って説明を続ける。リールの回転停止処理（ステップ１０９）が終了すると、各賞への入賞を判定し、所定のメダル払出処理その他の処理を行う。
【０１０４】
まず、リプレイ賞に入賞かを判断し（ステップ１１０）、リプレイ賞に入賞の場合はリプレイ賞当選フラグをクリアし（ステップ１１１）、ステップ１０２に戻る。
【０１０５】
リプレイ賞に入賞していない場合は、スイカ賞に入賞かを判断し（ステップ１１２）、スイカ賞に入賞の場合はメダル払出処理（ステップ１１３）を行った後、ステップ１３９に進む。スイカ賞に非入賞の場合は、順押しベル賞に入賞かを判断し（ステップ１１４）、順押しベル賞に入賞の場合はメダル払出処理（ステップ１１５）を行った後、ステップ１３９に進む。順次その他の押し順のベル賞に入賞かを判断し、各賞に入賞の場合メダルの払い出し処理を行う（ステップ１１６〜ステップ１２５）。チェリー賞に入賞の場合（ステップ１２６）、さらにＢＢ賞に重賞入賞かあるいはＲＢ賞に重賞入賞かを判断し（ステップ１２７，１２９）、各場合に応じてメダル払い出し処理を行う（ステップ１２８，１３０，１３１）。その後、さらにＢＢ賞またはＲＢ賞に入賞の場合（ステップ１３２，１３３）はステップ１３９に進み、ＢＢ賞、ＲＢ賞のいずれにも非入賞の場合は押下順序固定中かを判断する（ステップ１３４）。押下順序固定中である場合は、ステップ１３９に進み、そうでない場合は、押下順序の固定処理を行う。つまり本実施の形態ではチェリー入賞によって押下順序固定状態（特典付与状態（第２状態））が開始される例を示す。
【０１０６】
押下順序固定処理は、押下順序固定フラグのセット（ステップ１３５）、押下固定番号の決定（ステップ１３６）、押下固定カウンタの設定（ステップ１３７）によって行う。ここでは押下固定カウンタの設定値として６回を例示する。本処理の後ステップ１３９に進む。
【０１０７】
チェリー入賞でない場合、ステップ１３８に進んでＪＡＣ賞に入賞かを判断し（ステップ１３８）、ＪＡＣ賞に入賞の場合はメダル払出処理（ステップ１３８ｂ）を行った後、ステップ１３９に進む。ＪＡＣ賞に非入賞の場合はステップ１３９に進む。
【０１０８】
次に、ＲＢゲーム中であるかを判断し（ステップ１３９）、ＲＢゲーム中である場合はＲＢゲーム終了判定処理を行い（ステップ１４０）、その後ステップ１４７に進む。なおＲＢゲーム終了判定処理については後に詳述する。ＲＢゲーム中でない場合は単独ＲＢ入賞であるかを判断し（ステップ１４１）、単独ＲＢ入賞である場合はメダル払出処理（ステップ１４２）を行った後、さらにＲＢゲーム開始処理（ステップ１４３）を行い、その後ステップ１４７に進む。なおＲＢゲーム開始処理については後に詳述する。単独ＲＢ入賞でない場合はＢＢ中ＲＢ入賞であるかを判断し（ステップ１４４）、ＢＢ中ＲＢ入賞である場合はメダル払出処理（ステップ１４５）を行った後、さらにＲＢゲーム開始処理（ステップ１４６）を行い、その後ステップ１４７に進む。ＢＢ中ＲＢ入賞でない場合はステップ１４７に進む。
【０１０９】
次に、ＢＢゲーム中であるかを判断し（ステップ１４７）、ＢＢゲーム中である場合はＢＢゲーム終了判定処理を行い（ステップ１４８）、その後１ゲーム終了処理（ステップ１５２）に進む。なおＢＢゲーム終了判定処理については後に詳述する。ＢＢゲーム中でない場合はＢＢ入賞であるかを判断し（ステップ１４９）、ＢＢ入賞である場合はメダル払出処理（ステップ１５０）を行った後、さらにＢＢゲーム開始処理（ステップ１５１）を行い、その後１ゲーム終了処理（ステップ１５２）に進む。なおＢＢゲーム開始処理については後に詳述する。ＢＢ入賞でない場合は１ゲーム終了処理（ステップ１５２）に進む。
【０１１０】
図１４はＲＢゲーム終了判定処理の一例を示したフローチャートである。まず、ＪＡＣ入賞であるかを判断し（ステップ５０１）、ＪＡＣ入賞である場合はＪＡＣ入賞回数を１減少させる（ステップ５０２）。ＪＡＣ入賞でない場合はステップ５０５に進む。ステップ５０２に続きＪＡＣ入賞回数が０であるかを判断し（ステップ５０３）、０の場合はステップ５０８に進む。０でない場合はＪＡＣ入賞回数を表示して（ステップ５０４）、ＪＡＣゲーム回数を１減ずる（ステップ５０５）。ステップ５０５に続いて残りＪＡＣゲーム回数が０であるかを判断し（ステップ５０６）、残りＪＡＣゲーム回数が０である場合はステップ５０８に進み、０でない場合はＪＡＣゲーム回数を表示し（ステップ５０７）、元の処理に戻る。ステップ５０８では、ＲＢゲーム中であることを記録したフラグをクリアし、次にＢＢゲーム中であるかを判断する（ステップ５０９）。ＢＢゲーム中でない場合は元の処理に戻り、ＢＢゲーム中の場合はＲＢ入賞回数を１減じ（ステップ５１０）、ＲＢ入賞回数を表示して（ステップ５１１）元の処理に戻る。
【０１１１】
図１５は、ＲＢゲーム開始処理の一例を示したフローチャートである。まず、押下順序固定フラグをクリアする（ステップ５５１）。次に押下固定番号の登録を抹消し（ステップ５５２）、押下順序固定カウンタをクリアする（ステップ５５３）。つまり本実施の形態ではボーナスゲームが開始されると押下順序の固定（特典状態）が解除される例である。次に、ＲＢゲーム中であることを示すフラグをセットし（ステップ５５４）、ＪＡＣ入賞回数を８に設定する（ステップ５５５）。さらにＪＡＣゲーム回数を１２に設定し（ステップ５５６）元の処理に戻る。なお、ここではＲＢゲームにおけるＪＡＣ入賞回数を８回、ＪＡＣゲーム数を１２回と設定しているが、法律の適用の範囲内で任意に変更することが可能である。
【０１１２】
図１６は、ＢＢゲーム終了判定処理の一例を示したフローチャートである。まず、ＲＢゲーム中であるかを判断し（ステップ６０１）、ＲＢゲーム中である場合は元の処理に戻る。ＲＢゲーム中でない場合は、残りのＲＢ入賞回数が０であるかを判断し（ステップ６０２）、０である場合はステップ６０６に進む。０でない場合は、ＢＢゲーム数を１減じ（ステップ６０３）、残りのＢＢゲーム回数が０かを判断する（ステップ６０４）。残りのＢＢゲーム回数が０の場合、ＢＢゲーム中であることを示すフラグをクリアし（ステップ６０６）、そうでない場合はＢＢゲーム回数を表示し（ステップ６０５）、元の処理に戻る。
【０１１３】
図１７は、ＢＢゲーム開始処理の一例を示したフローチャートである。まず、押下順序固定フラグをクリアする（ステップ６５１）。次に押下固定番号の登録を抹消し（ステップ６５２）、押下順序固定カウンタをクリアする（ステップ６５３）。つまり本実施の形態ではＲＢゲームの場合と同様にボーナスゲームが開始されると押下順序の固定（特典状態）が解除される（通常のゲーム状態に戻る（第１状態となる））例である。次に、ＢＢゲーム中であることを示すフラグをセットし（ステップ６５４）、ＲＢ入賞回数を３に設定する（ステップ６５５）。さらにＢＢゲーム回数を３０に設定し（ステップ６５６）、元の処理に戻る。なお、ここではＲＢ入賞回数を３回、ＢＢゲーム回数を３０回と設定しているが、法律等の適用の範囲内で任意に変更することが可能である。
【０１１４】
なお、フラグは一般に処理等における状態がその状態にあるか否かを示す指標データを記録する手段を言うが、上記では、押下順序が固定状態（第２状態）であるか否か、ＢＢゲーム中であるか否か、ＲＢゲーム中であるか否かを指標するためにフラグを用いている。コンピュータ等の計算処理装置を適用する場合、１ビットの情報で１つの状態についてのフラグが構成できる。
【０１１５】
図１８および図１９は１ゲーム終了処理の一例を示したフローチャートである。ＪＡＣ賞、リプレイ賞、スイカ賞の各賞当選フラグがある場合は、各賞の当選フラグをクリアした後処理を終了する（ステップ７０１〜７０６）。チェリー賞の当選フラグがある場合はチェリー賞当選フラグをクリアした後（ステップ７０７，７０８）、重賞の場合を検証するためステップ７０９に進む。ステップ７０９でＢＢ賞の当選フラグがあるかを判断し（ステップ７０９）、ＢＢ賞当選フラグがセットされている場合は（ステップ７０９）、さらに入賞したかを判断し（ステップ７１０）、入賞した場合にはＢＢ賞当選フラグをクリアする（ステップ７１１）。単独ＲＢ賞当選フラグがセットされている場合は（ステップ７１２）、さらに入賞したかを判断し（ステップ７１３）、入賞した場合には単独ＲＢ賞当選フラグをクリアする（ステップ７１４）。ＢＢ中ＲＢ賞当選フラグがセットされている場合はＢＢ中ＲＢ賞当選フラグをクリアする（ステップ７１５，７１６）。
【０１１６】
さらに各押し順についてのベル賞の当選フラグがある場合は、該当する押し順のベル賞当選フラグをクリアする（ステップ７１７〜７２８）。そして、ベル賞に関しては押下順序の固定処理についての終了処理を行う。すなわち、押下期間中（押下固定状態）であるかを判断し（ステップ７２９）、真である場合は押下順序固定カウンタの値を１だけ減算処理する（ステップ７３０）。続いて押下順序固定カウンタの値が０かを判断し（ステップ７３１）、０の場合は、押下順序固定フラグのクリア（ステップ７３２）、押下固定番号の登録抹消（ステップ７３３）、押下順序固定カウンタのクリア（ステップ７３４）の各処理を順次行う（ゲーム状態を第１状態とする）。つまり本実施の形態の場合、何れかの押し順のベル賞に当選した場合に押下順序固定カウンタが減算され、何れかの押し順のベル賞当選を６回消化した段階で押下順序の固定状態（特典状態（第２状態））が解除される。なお、本例はあくまでも例示であり、その他の押下順序固定状態（特典状態（第２状態））の開始条件（第１条件）あるいは解除条件（第２条件）が適用できることは勿論である。
【０１１７】
１ゲーム終了処理（ステップ１５２）の終了後、ベット操作禁止を解除し（ステップ１５３）、１ゲームを終了する。
【０１１８】
以上遊技制御基板５０における処理の流れを説明した。本実施の形態の遊技装置では、チェリー賞への入賞を条件（第１条件）として押下順序の固定状態（特典状態）が開始される。そして、何れかの押下順序のベル賞に当選した回数が６回に達した段階で（第２条件）この特典状態が解除される。遊技者にとっては、押下順序が固定されている期間は、この固定された押下順序でゲームを進行することができるので高い確率でベル賞入賞の配当を得ることが可能となる（そもそもベル賞への当選確率は高く設定されており、そのような状況で押し順が固定されることはその押し順で停止操作する限り高い確率でベル賞に入賞できることを意味する）。ただし、高いベル賞の配当を得るためには固定されている押下順序を遊技者は知る必要がある。押下順序を遊技者に探索させるようなゲームを設定する場合、固定されている押下順序のそのままの報知は行わず、遊技者にトライアンドエラーの探索を試みさせるようなゲームを提供することが好ましい。この場合、早く正解（固定された押下順）に達すればそれだけ高い配当が得られるため、遊技者は早い段階で正解に到達するよう努力し、探索的なゲームへの参加意識を高めることができる。ひいては遊技者が主体的にゲームを進行している意識を高めることができ、ゲームへの興味を高く維持させることが可能になる。このような探索的な遊技者を補助するための報知を行うことも可能である。たとえば、押下順序固定期間に突入したことの報知、正解（固定された押下順序）に達した旨の報知、押下順序固定期間に突入した後に遊技者が試みた押下順序、等である。これら情報は遊技者に正解をそのまま報知するものではないため、探索的なゲーム要素を減殺することなく、遊技者への利便性を適度に高めることが可能となる。
【０１１９】
あるいは固定された押下順序を積極的に遊技者に報知することも可能である。この場合、押下順序固定期間に突入した後は報知によって知った押下順序で停止ボタンを操作するのみで遊技者は高い配当を得ることができる。複雑な操作（ゲーム毎に変化する押し順に従った操作等）や探索的なゲームを好まず、直接的な配当を希求する遊技者にとっては好ましいゲーム形態である。
【０１２０】
前記したゲーム形態に限らず、本実施の形態の遊技装置では、特典状態（前記例の場合押下順序の固定）に突入する条件（第１条件）、解除する条件（第２条件）あるいは報知演出を各種変更および組み合わせて適用することにより多様なゲーム形態を創出することが可能である。すなわち、本実施の形態の遊技装置では、多様なユーザの要求に答え得るゲーム態様を実現可能な遊技装置を提供できる。
【０１２１】
以上、本発明者によってなされた発明を発明の実施の形態に基づき具体的に説明したが、本発明は前記実施の形態に限定されるものではなく、その要旨を逸脱しない範囲で種々変更することが可能である。
【０１２２】
たとえば、前記実施の形態では、本発明の特典状態の例として停止ボタンの押下順序が固定される例を説明した。しかし、本発明はこれに限定されるわけではなく、たとえば第１抽選で当選した賞群に複数の役が含まれる場合に、特典状態においては特定の役に固定されるように構成することも可能である。たとえば、ベル賞が赤ベル役、青ベル役、白ベル役の３つの役で構成される場合を仮定する。前記実施の形態でベル賞が内部抽選（第１抽選）されるまでは同様である。すなわちベル賞に当選した段階で赤ベル用、青ベル用、白ベル用の停止データ群（この停止データ群には入賞ラインごとの停止データを備えた停止順序ごとのグループデータを含むことになる）が選択され、その後第１停止処理等を契機として赤ベル用、青ベル用、白ベル用の何れかの停止データ群に絞込み（第２抽選）行われる。あるいはベル賞が当選した段階で第２抽選を行って仮に赤ベル役が当選したとするならこの段階で赤ベル用の停止データ群が選択される。その後は前記同様な処理でリールの停止制御が実行される。すなわち、特典状態（前記実施の形態では押下順序固定フラグが立っている状態）では、第２抽選を行わず、常に赤ベル、青ベルあるいは白ベルが当選役となる。遊技者は、当選役を知りえたならば、その当選役の図柄を狙って停止ボタン操作を行えばよい。
【０１２３】
また、前記実施の形態では、リール制御に停止データ（停止制御テーブル）を利用する例を説明した。しかし、停止プログラムによってリールを停止制御することも可能である。
【０１２４】
また、前記実施の形態では、特典状態の開始条件としてチェリー賞入賞を例示した。しかし、これに限られず、たとえばその他の賞（ＢＢ賞やＲＢ賞のボーナス賞、スイカ賞その他任意の賞）への入賞あるいは当選を条件とすることもできる。また、任意の賞群への入賞を取りこぼした場合（当選しているにもかかわらす入賞できなかった場合）に特典を付与してもよい。さらに、たとえば所定数の過去のゲームにおいて所定の賞群に入賞していること（あるいは入賞回数が所定回数以上であること）や所定数の過去のゲームにおいて規定枚数以上のメダルの配当を受けていること等の一定の目標を達成していることを条件にすることも可能である。逆に一定の目標が達成さえていない場合に救済として本発明の特典を付与してもよい。たとえばスイカ賞等任意の賞群への入賞を所定回数以上取りこぼし（当選しているにも関わらず入賞できないこと）ている等所定の遊技価値を得られなかった場合に本発明の特典を付与してもよい。その他、第１条件（開始条件）は任意に設計できる。
【０１２５】
また、前記実施の形態では、特典状態の解除条件として、所定回数のベル賞への当選を例示した。しかし、これに限られず、単にゲーム数をカウントするのみで所定回数のゲームが消化された場合に解除されるとしてもよい。また、ベル賞に当選した回数をもって解除条件とすることもできる。また、所定の遊技価値が得られた場合に特典状態を解除することとしてもよい。さらに、前記第１条件の場合と同様な各種の条件を設定することが可能である。
【０１２６】
また、前記実施の形態では、２回の抽選が行われる場合の押下順序の固定について例示した。しかし、１回の抽選で押下順序別のベル賞が抽選される場合であっても同様の特典状態を創り出すことが可能である。たとえば、図２０に示す抽選処理が例示できる。図２０において、ステップ２０１〜ステップ２１９は図７の場合と同様である。ただし、ここで用いる賞群抽選テーブルは図２１（ａ）、（ｃ）、（ｄ）に示すような数値幅とし、サーチカウンタ（カウンタ手段）の用い方を図７の場合とは異ならせる。つまり、サーチカウンタ（カウンタ手段）の初期値は１とし、ＢＢ動作時およびＢＢ未動作時のＢＢもしくはＲＢ当選フラグのある場合の通常ゲームではサーチカウンタ最大値を９に、ＢＢ未動作時のＢＢもしくはＲＢ当選フラグのない場合の通常ゲームではサーチカウンタ最大値を１１になるように設定する。また、１つの賞群（の数値幅）が乱数値と比較される毎にサーチカウンタのカウンタ値を１加算する（ステップ８０１〜ステップ８０５）。そしてステップ２１６で何れかの賞群に当選したと判断された場合ステップ８０６に進む。なお、いずれの賞群に当選したかは保持されているサーチカウンタのカウンタ値で参照できることは言うまでもない。たとえば、サーチカウンタのカウンタ値が１であればＢＢ動作時のゲームではＪＡＣＩＮであり、ＢＢ未動作時のゲームでは再遊技賞である。同様にサーチカウンタのカウンタ値が４であれば中押しベル賞に当選であり、サーチカウンタのカウンタ値が８であればスイカ賞に当選である。ステップ８０６では押下順序固定期間中であるかを判断し（ステップ８０６）、押下順序固定期間中でない場合はこの処理を終了し、押下順序固定期間中であればサーチカウンタのカウンタ値が２〜７の範囲にあるかを判断する（ステップ８０７、７０８）。サーチカウンタのカウンタ値が２〜７の範囲（つまり何れかの押し順のベル賞当選）であると判断された場合、いずれの押し順であっても順押しベル賞に当選とする（ステップ８０９）。つまり押し順を順押しに固定する。このように１回の抽選処理（前記実施の形態では２回の抽選処理を行っていた）であっても押し順を固定することは可能である。なお、ここで固定する押し順として順押しを例示したが他の押し順であっても勿論かまわない。また押下順序固定期間が開始する際に抽選を行って固定する押し順を決定し、この決定された押し順に固定することとしてもよい。
【０１２７】
また前記実施の形態では報知処理について特に言及しなかった。しかし、公知の報知手段、たとえば音響（音楽や合成音声）による報知、発光装置（ランプ等）による報知、液晶表示装置等表示装置による報知等によって各種の報知演出を組み合わせることができる。たとえば前記実施の形態において、押下順序固定フラグを参照し、このフラグが立っている場合には各種の演出によって押下順序が固定されている旨の報知を行うことができる。また、押下順序固定フラグが立っている場合には遊技者が操作した停止ボタンの番号をその操作順に記録しておき、次ゲーム以降にこの停止ボタン番号（停止操作順序）をたとえば液晶表示装置等に表示する報知を行うことができる。これにより、遊技者は固定された押下順序の探索を行いやすくなる。
【０１２８】
また、前記実施の形態では、ベル賞に当選した場合に第２抽選が行われる場合を例示した。しかし、たとえばスイカ賞その他の賞群にも同様の構成を適用することが可能であり、第１抽選で対象となる賞群のうち複数の賞群（たとえばベル賞とスイカ賞）が第２抽選の対象となってもよい。たとえばベル賞に当選した場合押下順序が固定される可能性があり、スイカ賞に当選した場合スイカ賞に含まれる役（たとえば緑スイカ役、黄スイカ役、赤スイカ役）の何れかの役（たとえば緑スイカ役）に固定される可能性のある遊技装置を構成できる。
【０１２９】
【発明の効果】
本発明によれば、停止ボタンの押し順が入賞の条件として要求されるゲームまたは当選賞群に含まれる役の抽選を行うゲームを提供する遊技装置において、さらに多様なゲーム性が提供可能な遊技装置あるいは遊技者にとって操作の簡便な遊技装置を提供できる。
【図面の簡単な説明】
【図１】本発明の一実施の形態である遊技装置の一例を示した正面図である。
【図２】図１に例示する遊技装置の構造を、その機能について示したブロック図である。
【図３】本発明の一実施の形態である遊技装置で実施される１ゲームの流れを例示するフローチャートである。
【図４】本発明の一実施の形態である遊技装置で実施される１ゲームの流れを例示するフローチャートである。
【図５】本発明の一実施の形態である遊技装置で実施される１ゲームの流れを例示するフローチャートである。
【図６】本発明の一実施の形態である遊技装置で実施される１ゲームの流れを例示するフローチャートである。
【図７】抽選処理の一例を示したフローチャートである。
【図８】図７の抽選処理に用いられる賞群抽選テーブルの一例を示した概念図である。
【図９】当選フラグのセット処理の一例を示したフローチャートである。
【図１０】リール停止データ群の選択処理の一例を示したフローチャートである。
【図１１】リール停止制御の一例を示したフローチャートである。
【図１２】リール停止制御の一例を示したフローチャートである。
【図１３】リール停止制御の一例を示したフローチャートである。
【図１４】ＲＢゲーム終了判定処理の一例を示したフローチャートである。
【図１５】ＲＢゲーム開始処理の一例を示したフローチャートである。
【図１６】ＢＢゲーム終了判定処理の一例を示したフローチャートである。
【図１７】
ＢＢゲーム開始処理の一例を示したフローチャートである。
【図１８】１ゲーム終了処理の一例を示したフローチャートである。
【図１９】１ゲーム終了処理の一例を示したフローチャートである。
【図２０】抽選処理の他の例を示したフローチャートである。
【図２１】図２０の抽選処理に用いられる賞群抽選テーブルの一例を示した概念図である。
【符号の説明】
１…遊技演出装置、２…ランプ、３…スピーカ、４…スピーカ、５…ランプ、７…１メダルランプ、８…２メダルランプ、９…３メダルランプ、１０…スタートランプ、１１…リプレイ賞入賞表示ランプ、１２…入賞表示ランプ、１３…打ち止め表示ランプ、１４…ＢＢゲーム中表示ランプ、１５…ＲＢゲーム中表示ランプ、１６…メダル投入可能表示ランプ、１７…１枚ベットボタン、１８…２枚ベットボタン、１９…クレジット精算ボタン、２０…３枚ベットボタン、２１…遊技メダル返却ボタン、２２…遊技メダル投入口、２３…ドアキー、２４…開始レバー、２５…クレジット枚数表示機、２６…ボーナスカウント表示機、２７…メダル配当表示機、２８…停止ボタン、３２…スピーカ、３３…遊技メダル払出口、３４…受け皿、３５…リール、３６…リール、３７…リール、５０…遊技制御基板、５１…ＣＰＵ、５２…入力ポート、５３…クロック発生回路、５４…ＲＯＭ、５５…ＲＡＭ、５６…乱数発生回路、５７…出力ポート、５８…出力ポート、５９…データ送出回路、６０…送出タイミング制御回路、６１…リセットスイッチ、６２…メダル投入センサ、６３…メダル払出センサ、６４…メダル満杯センサ、６５…位置検出センサ、６６…ドアセンサ、６７…リール駆動モータ、６８…メダル払出モータ、６９…メダルブロッカソレノイド、７０…演出機構制御基板、７２…ＣＰＵ、７３…遊技演出装置駆動回路、７４…乱数発生回路、７５…データ入力回路、７６…クロック発生回路、７７…ランプ駆動回路、７８…ＲＡＭ、７９…サウンドＬＳＩ、８０…アンプ回路、８１ａ…ＲＯＭ、８１ｂ…サウンドＲＯＭ、８２…段階設定キースイッチ、８５…音量調節回路。
【図１】
2004166902.tif 000003
【図２】
2004166902.tif 000004
【図３】
2004166902.tif 000005
【図４】
2004166902.tif 000006
【図５】
2004166902.tif 000007
【図６】
2004166902.tif 000008
【図７】
2004166902.tif 000009
【図８】
2004166902.tif 000010
【図９】
2004166902.tif 000011
【図１０】
2004166902.tif 000012
【図１１】
2004166902.tif 000013
【図１２】
2004166902.tif 000014
【図１３】
2004166902.tif 000015
【図１４】
2004166902.tif 000016
【図１５】
2004166902.tif 000017
【図１６】
2004166902.tif 000018
【図１７】
2004166902.tif 000019
【図１８】
2004166902.tif 000020
【図１９】
2004166902.tif 000021
【図２０】
2004166902.tif 000022
【図２１】
2004166902.tif 000023